(57)【要約】      （修正有）【課題】返却トレイから硬貨を指先で拾い上げる方法に加え、掌上に一度に簡易に流し受ける方法のいずれの方式でも返却硬貨の受取りが可能な硬貨返却口ユニットを提供する。【解決手段】硬貨返却トレイの前縁堤部内側が上方に開いた傾斜面をなし、その上端部近傍の左右両端において自動販売機等の前面パネルに並行で水平方向の支軸を介して該トレイが本体側の支持構造に回動可能に結合され、ストッパーにより略水平の定位置に保持される。トレイの前面外壁部下方を掌を上に向けた指先で奥へ押すことにより、該トレイが定位置から上方前方へ向けて回動して略倒立姿勢となり、トレイ前縁堤部内側に形成したガイドスライダー部が前方下方に傾斜することにより、トレイ内の返却硬貨が掌上に流れ落ちて一度に受け取ることも可能である。【選択図】図１
0003173875.tif 000002
【実用新案登録請求の範囲】
【請求項１】
自動販売機や両替機等の硬貨返却口の内側ないし外側に設置される硬貨返却トレイの前縁堤部の内側が上方に開いた傾斜面を成し、その上端部近傍の左右両端において自動販売機等の前面パネルに並行な水平方向の支軸を介して該トレイがその前面外壁部が表出する位置で自動販売機等の本体側の支持構造に回動可能に結合され、かつ本体側との間に設けたストッパー機構により略水平の定位置に保持される構成からなり、
使用時は、前記トレイの定位置において略垂直な前面外壁部の下方を掌を上に向けた指先で奥へ押すことにより、該トレイ全体が略水平姿勢から上方へ持ち上がり前方へ向けて大きく回動して略倒立姿勢でストッパー機構により停止し、トレイ前縁堤部内側の傾斜面に形成したガイドスライダー部が前方下方に傾斜することにより、トレイ内の返却硬貨が中央寄りに絞り込まれて滑落し、下方を向いたトレイ前縁堤部の上端部から掌上に流れ落ちて一度に受け取ることを可能とし、
硬貨受領後は掌を前方へ引き戻して指先によるトレイ前面外壁部への支持力を解放することにより、硬貨返却トレイがその自重で略倒立姿勢から逆方向に回動して定位置に復帰する構成と機能を有し、
定位置にある硬貨返却トレイから硬貨を指先で拾い上げる方法との選択的な併用を簡易な構造で可能としたことを特徴とする硬貨返却口ユニット。
【請求項２】
硬貨返却トレイを定位置に保持し、また略倒立姿勢から自重で定位置に復帰する力を補強するための復帰力補強バネを該トレイと自動販売機等の本体側との間に設けた請求項１に記載の硬貨返却口ユニット。
【考案の詳細な説明】
【技術分野】
【０００１】
本考案は、飲料や切符等の自動販売機や両替機等の硬貨返却口に設けられる返却トレイ部を改良した硬貨返却口ユニットに関するものである。
【背景技術】
【０００２】
飲料や煙草、切符等の自動販売機や両替機等の硬貨返却口は、釣銭や返却硬貨をそのトレイ部に放出し、指先で拾い上げる方式が一般的である。
【０００３】
この方式では返却硬貨が多い場合には、硬貨を取りこぼしたり、指先で拾い上げる操作を繰り返す必要もあり、そのためには拾い上げた硬貨をその都度、他方の手へ移し替えるなど片手だけでは対応できない場合もある。
【０００４】
また、硬貨返却口は防犯上あまり大きくは開口できないため、その奥に指先を入れて硬貨を拾い上げたり掴み取る場合は、下向きになった掌の甲や左右が返却口の上端や両端に干渉して難がある場合もある。
【０００５】
硬貨返却トレイが自動販売機等の前面パネルから前方に張り出して上方が開放されている場合でも、トレイの底部や前縁部内側の形状によっては、複数の硬貨を一度に拾い上げ難い場合もある。
【０００６】
このため、掌を上に向けて返却硬貨を流し受ける方式も考案されているが、ダクトから落下する硬貨を掌で受け取る方式では、落下前の硬貨が視認し難かったり、前面パネルからの突出部分が大きくなることもある。
【０００７】
返却硬貨を乗せる底板の前端に堤部がなくフラットになっており、硬貨返却口の奥側にある支軸周りにこの底板が回動してその前端部が下方に降下傾斜し、滑り落ちる硬貨を掌で受け取る方式なども考案されているが、定位置では硬貨が前方に落下しないように底板を後方へ傾斜させて硬貨を奥へ押しやる結果になったり、自動販売機の本体前面側に透明板等で遮蔽するための壁面部を設ける必要がある。  この遮蔽板がフラッパー状に奥へ回動する方式も考案されているが、底板の前縁には硬貨の滑落を妨げるような堤部を形成できないため、遮蔽板の下端部側を底板に近接させる結果、その下端部が回動時に滞留した硬貨と干渉して奥へ押しやったり、遮蔽板の回動を妨げられる要因もある。  また、硬貨を放出する底板の前端部が下降回動に伴って返却口の奥へ逃げる方向へも移動する点で不利である。
【０００８】
返却硬貨が少ない場合はトレイから指先で拾い上げる方法も難が少なく、一般的にも慣れているため、硬貨が多い場合などには掌で一度に簡易に流し受ける方法と選択的に併用できる方式の簡単な構造で使い易い返却トレイを有する硬貨返却口ユニットがあると便利である。
【先行技術文献】
【特許文献】
【０００９】
【特許文献１】特許  第４５９１３８０
【特許文献２】特開  ２０１０−２３８０７２
【特許文献３】実開  平３−１１０５７７
【特許文献４】特開  ２０００−７６５２９
【非特許文献】
【００１０】
【非特許文献１】経済産業省  総合資源エネルギー調査会省エネルギー基準部会  自動販売機判断基準小委員会  参考資料  「物品自動販売機の現状」  （平成１８年１１月）
【考案の概要】
【考案が解決しようとする課題】
【００１１】
自動販売機や両替機等の硬貨返却口の返却トレイから釣銭や返却硬貨を指先で拾い上げる一般的な方法に加え、硬貨が多い場合などには簡単な操作で掌上に一度に流し受ける方法のいずれの方式も選択でき、片手で容易に一度に返却硬貨の受取りが可能な硬貨返却口ユニットを設けた自動販売機等を提供する。
【課題を解決するための手段】
【００１２】
硬貨返却トレイの前縁堤部内側を上方に開いた傾斜面とし、その上端部近傍の左右両端において自動販売機等の前面パネルに並行で水平方向の支軸を介して該トレイを自動販売機本体側の支持構造に回動可能に結合し、かつ本体側との間に設けたストッパーにより略水平の定位置に保持される構成とした。
使用時は、前記トレイの前面外壁部下方を掌を上に向けた指先で奥へ押すことにより、該トレイ全体が略水平の定位置から上方へ持ち上がり前方へ向けて大きく回動して略倒立姿勢となり、トレイ前縁堤部内側傾斜面に形成したガイドスライダー部が前方下方に傾斜することにより、トレイ内の返却硬貨が中央寄りに絞り込まれて掌上に流れ落ち一度に受け取ることも可能とした硬貨返却口ユニットを構成した。
【考案の効果】
【００１３】
本考案の硬貨返却口ユニットによれば、硬貨返却トレイから釣銭等の返却硬貨を指先で拾い上げる一般的な方法に加えて、簡易な操作で掌上に一度に流し受ける方法のいずれの方式も利用者の好みや状況に応じて選択的に利用することができる。
掌上に流し受ける方法では、トレイ前縁堤部先端の硬貨流出端の位置が回動軸に近く殆ど移動しないため、この付近に掌を上に向けた指先の第２関節を寄せるようにしてトレイの前面外壁部下方を指先で押し、さらにその指先を屈曲させることでトレイを上方前方へ回動させると共に、第２関節から掌中央にかけての最も受け取り易い掌の位置と領域で硬貨を無理なく自然な動きで受け取ることが可能となる。
硬貨流出端の受取位置は自動販売機等の本体前面パネル面の最前部ないしその前方に張り出して設定でき、かつ硬貨の流れもガイドスライダー部によって中央寄りに絞り込まれ、前方に傾斜したトレイ内の残留硬貨の視認性も良い。
また、トレイの前面外壁部下方を奥へ押し込んで回動倒立させる操作も第２関節から先の指先部の動きのみで基本的に可能であり、掌を硬貨返却口の奥深く挿入する必要はない。
このように、トレイ全体をその前縁上端部近傍の支軸周りに略倒立姿勢に回動させる方式の採用により、奥側にある支軸周りに底板が回動してその前端部が下方に降下傾斜する方式等に比べて構造上も使用上も有利な点がある。
本考案は硬貨返却トレイとその周りの比較的簡易な構造変更で多種の自動販売機等に広く適用が可能である。
【図面の簡単な説明】
【００１４】
【図１】本考案による硬貨返却口ユニットの基本構成と作動形態の断面図を示す。（実施例１）（1/2）
【図２】本考案による硬貨返却口ユニットの基本構成と作動形態の断面図を示す。（実施例１）（2/2）
【図３】本考案による硬貨返却口ユニットの基本構成と作動形態の断面図を示す。（実施例２）（1/2）
【図４】本考案による硬貨返却口ユニットの基本構成と作動形態の断面図を示す。（実施例２）（2/2）
【図５】本考案による硬貨返却トレイの上面図と側面図を示す。（実施例３）
【図６】本考案による硬貨返却口ユニットの選択的使用例の断面図を示す。（実施例１）
【図７】本考案による硬貨返却口ユニットの選択的使用例の断面図を示す。（実施例２）
【考案を実施するための形態】
【００１５】
本考案による硬貨返却口ユニットの基本構成と作動形態を図１から図５に示す。
自動販売機等の硬貨返却口１の内側ないし外側に設置される硬貨返却トレイ２の前縁堤部２aの内側を上方に開いた傾斜面２bとし、その上端部２c近傍の左右両端において自動販売機等の前面パネル面に並行な水平方向の支軸３を介して該トレイをその前面外壁部２dが表出する位置で自動販売機等の本体側の支持構造４に回動可能に結合し、かつ本体側との間に設けた定位置ストッパー５により略水平の定位置に保持される構成とした。
前記トレイの前面外壁部２dの下方を掌を上に向けた指先で奥へ押すことにより、該トレイ全体が略水平の定位置から上方へ持ち上がり前方へ向けて大きく回動して略倒立姿勢で倒立ストッパー６により停止し、トレイ前縁堤部内側の傾斜面２bに形成したガイドスライダー部２eが前方下方に傾斜することにより、トレイ内の返却硬貨が中央寄りに絞り込まれて滑落し、下方を向いたトレイ前縁堤部２aの上端部２cから掌上に流れ落ちて一度に受け取ることも可能な構成とした。
硬貨受領後は掌を前方へ引いて指先によるトレイ前面外壁部２dへの支持力を解放することにより、硬貨返却トレイ２はその自重またはバネ力の付加により略倒立姿勢から逆方向に回動して定位置に復帰する。
また、図６及び図７に示すように、定位置にある硬貨返却トレイ２から返却硬貨を指先で拾い上げたり掴み取る方法にも従来のように対応可能である。
【実施例】
【００１６】
図１及び図２では、硬貨返却口ユニット全体が自動販売機等の前面パネルの表面より内側に埋め込まれた形態の実施例を示す。
硬貨返却トレイ２が略水平な定位置においては、トレイの前面外壁部２dが前記前面パネルとほぼ同一面上にあり、指先による押し込み操作がし易い位置にある。  定位置ストッパー５と倒立ストッパー６は本実施例の形態に限らず、返却トレイと自動販売機本体側との間であれば他の位置と形態でも形成可能である。
【００１７】
本考案の他の実施例として、硬貨返却口ユニットの硬貨返却トレイ部が自動販売機等の前面パネルの表面より外側前方に張り出して設置された形態を図３から図５に示す。
本実施例では、硬貨返却トレイ２を支軸３を介して回動可能に支持する自動販売機等の本体側の支持構造４は、前面パネル部から前方へ張り出して形成された一対のアーム状構造を有している。  定位置ストッパー５は、該支持構造の自動販売機本体前面パネルへの取付け面の上端部に形成している。  倒立ストッパー６は、該支持構造の内面に突起状に形成され、硬貨返却トレイが回動してその前面外壁部２dの裏面が該ストッパーに当たることにより返却トレイが略倒立姿勢で停止する構成とした。
図５の実施例では、返却トレイの定位置への自重による復帰力を補強するため、該トレイと自動販売機等の本体側との間に復帰力補強バネ７を装着している。
【産業上の利用可能性】
【００１８】
硬貨の返却口を有する自動販売機や両替機等であれば、設計仕様が屋内及び屋外への設置条件などで異なる場合でも本考案の基本構成は広く一般的に適用可能である。
【符号の説明】
【００１９】
１   硬貨返却口
２   硬貨返却トレイ
２a  トレイ前縁堤部
２b  前縁堤部内側傾斜面
２c  前縁堤部上端部
２d  トレイ前面外壁部
２e  ガイドスライダー部
３   支軸
４   本体側支持構造
５   定位置ストッパー
６   倒立ストッパー
７   復帰力補強バネ
【図１】
0003173875.tif 000003
【図２】
0003173875.tif 000004
【図３】
0003173875.tif 000005
【図４】
0003173875.tif 000006
【図５】
0003173875.tif 000007
【図６】
0003173875.tif 000008
【図７】
0003173875.tif 000009
【手続補正書】
【提出日】平成23年12月14日(2011.12.14)
【手続補正１】
【補正対象書類名】図面
【補正対象項目名】全図
【補正方法】変更
【補正の内容】
【図１】
0003173875.tif 000010
【図２】
0003173875.tif 000011
【図３】
0003173875.tif 000012
【図４】
0003173875.tif 000013
【図５】
0003173875.tif 000014
【図６】
0003173875.tif 000015
【図７】
0003173875.tif 000016